(57)【特許請求の範囲】
【請求項１】
表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、
前記吸収体は、その両側縁の長手方向中央部が幅方向内方に向けて括れた略砂時計形状を有しており、
展開状態において、前記股間部における前記吸収性本体の幅は該股間部における前記外装体の幅よりも広く、該股間部における該外装体の幅は該股間部における前記吸収体の幅よりも広く、該股間部における該吸収体の幅は該股間部における該本体接合部の幅以上であり、
前記吸収性本体は、その両側部それぞれにおいて、前記裏面シートが幅方向内方に折り返されて、折り返された該裏面シートの側縁が該表面シートに接合されて形成された折り返し領域と、該折り返し領域に配された第１サイド弾性部材と、該第１サイド弾性部材よりも幅方向内方に配された第２サイド弾性部材とを有し、
前記折り返し領域は、その幅が２〜２０ｍｍであり、
前記第１サイド弾性部材は、前記裏面シートの折り返し線近傍であって、
前記第２サイド弾性部材は、前記腹側部及び前記背側部それぞれにおいては、前記吸収体と前記裏面シートとの間に配設され、前記股間部においては、前記吸収体の側縁より幅方向外方に配設されている使い捨ておむつ。
【請求項２】
前記股間部における前記吸収性本体の幅は、該股間部における前記外装体の幅よりも３０ｍｍ以上広い請求項１記載の使い捨ておむつ。
【請求項３】
前記股間部における前記外装体の幅は、該股間部における前記吸収体の幅よりも２０ｍｍ以上広い請求項１又は２に記載の使い捨ておむつ。
【請求項４】
前記股間部における前記吸収体の幅は、該股間部における前記本体接合部の幅よりも１０ｍｍ以上広い請求項１〜３の何れかに記載の使い捨ておむつ。
【発明の詳細な説明】
【技術分野】
【０００１】
本発明は、表面シート、裏面シート及び両シート間に介在する吸収体を有する吸収性本体と該吸収性本体の非肌当接面側に接合された外装体とを備え、展開状態において股間部における吸収性本体の幅が股間部における外装体の幅よりも広い使い捨ておむつに関する。
【背景技術】
【０００２】
従来より、表面シート、裏面シート及び両シート間に介在する吸収体を有する吸収性本体と該吸収性本体の非肌当接面側に接合された外装体とを備え、展開状態において股間部における吸収性本体の幅が股間部における外装体の幅よりも広い使い捨ておむつが知られている（例えば、特許文献１，２参照）。特許文献１，２に記載の使い捨ておむつにおいては、吸収性本体の両側部に沿ってサイドギャザーが形成されている。
このような形態の使い捨ておむつによれば、脚部からの漏れを防止することができ、また、吸収性本体の幅よりも、外装体から形成されたレッグ開口部の幅が狭く形成されているため、脚が通し易い。
【０００３】
【特許文献１】特開平１１−１０７００７号公報
【特許文献２】実開平７−１８７１４号公報
【発明の開示】
【発明が解決しようとする課題】
【０００４】
しかしながら、特許文献１，２に記載の使い捨ておむつにおいては、実際には、レッグ開口部への脚の挿入性が低下したり、股間部のフィット性が低下し易いという問題がある。具体的には、吸収性本体において吸収体の形状が矩形状の場合には、吸収性本体の幅を、外装体から形成されたレッグ開口部の幅よりも広げると吸収性本体がレッグ開口部をふさぐようになり、レッグ開口部の有効開口面積が小さくなり、脚の挿入性が低下する。
【０００５】
また、吸収性本体において吸収体の形状が略砂時計形状（両側縁の長手方向中央部が幅方向内方に向けて括れた形状）の場合には、装着時には、吸収性本体のサイドギャザーが吸収体の側端を起点として立ち上がり、吸収性本体の股間部は見かけ上狭くなるため、脚の挿入性は良くなるものの、サイドギャザーの起立高さは、見かけ上、もとのサイドギャザーの起立高さに吸収性本体の括れた部分のシート幅が加わるため高くなり過ぎ、吸収体と体との距離が離れ過ぎてしまい、股間部のフィット性が低下する。
特に尿取りパッドと併用するために吸収性本体の幅を広げようとした場合に、脚の挿入性の低下や股間部のフィット性の低下といった問題は、さらに大きくなる。
【０００６】
従って、本発明の目的は、展開状態において股間部における吸収性本体の幅が股間部における外装体の幅よりも広い使い捨ておむつであって、レッグ開口部への脚の挿入性が高く、股間部のフィット性も高い使い捨ておむつを提供することにある。
【課題を解決するための手段】
【０００７】
本発明は、表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、前記吸収体は、その両側縁の長手方向中央部が幅方向内方に向けて括れた略砂時計形状を有しており、展開状態において、前記股間部における前記吸収性本体の幅は該股間部における前記外装体の幅よりも広く、該股間部における該外装体の幅は該股間部における前記吸収体の幅よりも広く、該股間部における該吸収体の幅は該股間部における該本体接合部の幅以上であり、前記吸収性本体の両側部において、前記裏面シート及び／又は前記表面シートが幅方向内方に折り返されて、折り返された該裏面シート及び／又は該表面シートの両側縁が該表面シート又は該裏面シートに接合されており、該裏面シート及び／又は該表面シートの折り返し線近傍にサイド弾性部材が配設されている使い捨ておむつを提供することにより前記目的を達成したものである。
【発明の効果】
【０００８】
本発明の使い捨ておむつによれば、展開状態において股間部における吸収性本体の幅が股間部における外装体の幅よりも広い使い捨ておむつであって、レッグ開口部への脚の挿入性が高く、股間部のフィット性も高い。
【発明を実施するための最良の形態】
【０００９】
以下に、本発明の使い捨ておむつについて、その好ましい一実施形態に基づき図面を参照しながら説明する。
本実施形態の使い捨ておむつ１は、いわゆるパンツ型の使い捨ておむつであり、図１〜図５に示すように、表面シート２、裏面シート３及び両シート２，３間に介在する吸収体４を有する吸収性本体５と吸収性本体５の非肌当接面側に本体接合部１３により接合された外装体１０とを備えている。
【００１０】
本実施形態の使い捨ておむつ１は、長手方向に、装着時に着用者の腹側に配される腹側部Ａ、装着時に着用者の背側に配される背側部Ｂ、及び腹側部Ａと背側部Ｂとの間に位置する股間部Ｃを有している。腹側部Ａ、股間部Ｃ及び背側部Ｂは、展開状態（各部の弾性部材を伸張させ平面状に拡げた状態、図２に示す状態）の使い捨ておむつ１における長手方向（図２の上下方向）において、レッグ開口部が存在する領域を股間部Ｃとしたときに、股間部Ｃよりも腹側の部分を腹側部Ａ、股間部Ｃよりも背側の部分を背側部Ｂとして示している。
【００１１】
尚、本明細書において、「肌当接面側」とは装着時に着用者の肌側に配される側であり、「非肌当接面側」とは肌当接面側の反対側である。「長手方向」及び「幅方向」とは、特に明記のない限り、それぞれ展開状態における使い捨ておむつの長手方向及び幅方向である。
【００１２】
吸収性本体５は、縦長矩形状の平面視形状を有しており、その長手方向を、使い捨ておむつ１の長手方向に一致させて、腹側部Ａから背側部Ｂに亘るように、本体接合部１３により外装体１０の肌当接面側における幅方向中央部に接合されている。
本体接合部１３は、ホットメルト型接着剤等の公知の接合手段から形成されている。本体接合部１３の幅Ｗ４〔図３（ｂ）参照〕は、好ましくは３０〜１６０ｍｍ、更に好ましくは５０〜１４０ｍｍである。
【００１３】
吸収性本体５の長さは、好ましくは４００〜１０００ｍｍ、更に好ましくは４５０〜８５０ｍｍである。吸収性本体５の幅Ｗ１〔図２、図３（ｂ）、図５参照〕は、好ましくは８０〜３４０ｍｍ、更に好ましくは１２０〜３００ｍｍである。
【００１４】
吸収体４は、その両側縁の長手方向中央部が幅方向内方に向けて括れた略砂時計形状を有している。吸収体４の長さ及び最大幅（括れていない領域の両側縁間の幅）の好ましい範囲は、それぞれ吸収性本体５の長さ及び幅の好ましい範囲と同じである。股間部Ｃにおける吸収体４の幅（括れた領域における最も幅狭部分の幅）Ｗ３〔図２、図３（ｂ）、図５参照〕は、好ましくは４０〜１７０ｍｍ、更に好ましくは６０〜１５０ｍｍである。吸収体４における括れた領域の長さＬ１（図５参照）は、好ましくは３００〜９００ｍｍ、更に好ましくは４００〜８００ｍｍである。
【００１５】
本実施形態の吸収性本体５においては、図３に示すように、表面シート２は、吸収体４の肌当接面側のほぼ全域を被覆している。裏面シート３は、吸収体４の非肌当接面側のほぼ全域を被覆していると共に、吸収性本体５の両側部において幅方向内方に折り返されて、折り返された裏面シート３（裏面シート３のうち、表面シート２側に折り返された領域を「折り返し領域３１」ともいう）の両側縁が表面シート２の肌当接面側に接合されている。
折り返し領域３１の幅Ｗ５〔図３（ａ）、図５参照〕は、好ましくは２〜２０ｍｍ、更に好ましくは２〜１５ｍｍである。
【００１６】
吸収性本体５においては、少なくとも裏面シート３の折り返し線近傍にサイド弾性部材６１が配設されている。本実施形態においては、サイド弾性部材６１は、吸収性本体５の長手方向ほぼ全長に亘っており、裏面シート３の折り返し線近傍に配設された１本のサイド弾性部材６１Ａ及びその幅方向内方に所定間隔をおいて並列した３本のサイド弾性部材６１Ｂから構成されている。
サイド弾性部材６１Ｂは、図３（ａ）に示すように、腹側部Ａ及び背側部Ｂにおいては、吸収体４と裏面シート３との間に配設されており、図３（ｂ）に示すように、股間部Ｃにおいては、表面シート２の非肌当接面側と裏面シート３の肌当接面側との間に配設されている。
【００１７】
外装体１０は、股間部Ｃに位置する領域の両側縁が幅方向内方に括れた略砂時計形状の平面視形状を有している。外装体１０においては、腹側部Ａに位置する領域の両側縁部と背側部Ｂに位置する領域の両側縁部とが、ヒートシール、超音波シール等の公知の接合手段により互いに接合されており、これにより一対のサイドシール部が形成されている。また、この接合によって、使い捨ておむつ１には、ウエスト開口部７及び一対のレッグ開口部８，８が形成されている。
【００１８】
外装体１０は、２枚の外装体形成用シート１１，１２と、これら２枚のシート１１，１２間に固定された各部の弾性部材とからなる。２枚の外装体形成用シート１１，１２間には、ウエスト開口部７の周縁部にウエストギャザーを形成するウエスト部弾性部材７１が，レッグ開口部８の周縁部にレッグギャザーを形成するレッグ部弾性部材８１が，及び胴回り部Ｄ（ウエスト開口部７の周縁端から下方に２０ｍｍ離間した位置からレッグ開口部８の上端までの領域）に胴回りギャザーを形成する胴回り弾性部材９１が、それぞれ伸張状態で、ホットメルト型接着剤等の接合手段により接合固定されている。
【００１９】
腹側部Ａ側のレッグ部弾性部材８１は、一方のレッグ開口部８における腹側部Ａ側の略半分の領域に沿い、股間部Ｃを幅方向に跨ぎ、他方のレッグ開口部８における腹側部Ａ側の略半分の領域に沿って配設されている。同様に、背側部Ｂ側のレッグ部弾性部材８１は、一方のレッグ開口部８における背側部Ｂ側の略半分の領域に沿い、股間部Ｃを幅方向に跨ぎ、他方のレッグ開口部８における背側部Ｂ側の略半分の領域に沿って配設されている。レッグ部弾性部材８１は、吸収体４と交差する部分において、非弾性化された構成とするか、または、取り除いた構成とすることが、吸収体４にヨレや捩れが発生しなくなるので好ましい。
【００２０】
外装体形成用シート１１，１２は、何れも通気性の不織布から構成されている。これら２枚のシート１１，１２のうち、非肌当接面側に位置するシート１１は、その長手方向において、肌当接面側に位置するシート１２の前後端縁（長手方向の両端縁）よりそれぞれ延出した延出部を有し、これらの延出部は、それぞれシート１２上に吸収性本体５が配置された状態で、吸収性本体５の前後端（長手方向の両端）を覆うように吸収性本体５側に折り返されて接着されている。
【００２１】
外装体１０の長さは、好ましくは４００〜１０００ｍｍ、更に好ましくは５００〜１０００ｍｍである。股間部Ｃにおける外装体１０の幅Ｗ２〔図２、図３（ｂ）参照〕は、好ましくは６０〜２５０ｍｍ、更に好ましくは８０〜２００ｍｍである。
【００２２】
本実施形態の使い捨ておむつ１においては、前記構成部材の幅Ｗ１〜Ｗ４の大小関係が以下のように規定されている。
展開状態において、股間部Ｃにおける吸収性本体５の幅Ｗ１は股間部Ｃにおける外装体１０の幅Ｗ２よりも広くなっている。股間部Ｃにおける吸収性本体５の幅Ｗ１は、その最も幅狭部分の幅を意味する。股間部Ｃにおける外装体１０の幅Ｗ２は、その最も幅狭部分の幅を意味する。股間部Ｃにおける吸収性本体５の幅Ｗ１は、股間部Ｃにおける外装体１０の幅Ｗ２よりも３０ｍｍ以上広いことが好ましく、４０ｍｍ以上広いことが更に好ましい。
【００２３】
股間部Ｃにおける外装体１０の幅Ｗ２は股間部Ｃにおける吸収体４の幅Ｗ３よりも広くなっている。股間部Ｃにおける吸収体４の幅Ｗ３は、その最も幅狭部分の幅を意味する。股間部Ｃにおける外装体１０の幅Ｗ２は、股間部Ｃにおける吸収体４の幅Ｗ３よりも２０ｍｍ以上広いことが好ましく、３０ｍｍ以上広いことが更に好ましい。
【００２４】
股間部Ｃにおける吸収体４の幅Ｗ３は、股間部Ｃにおける本体接合部１３の幅Ｗ４以上である。この幅の大小関係は、使い捨ておむつ１の全長に亘っている。股間部Ｃにおける吸収体４の幅Ｗ３は、股間部Ｃにおける本体接合部１３の幅Ｗ４よりも１０ｍｍ以上広いことが好ましく、２０ｍｍ以上広いことが更に好ましい。
【００２５】
本実施形態の使い捨ておむつの構成部材の材料としては、当該技術分野において通常用いられているものを特に制限なく用いることができる。
例えば、表面シート２としては、親水性且つ液透過性の不織布や、開孔フィルムを用いることができる。裏面シート３としては、液不透過性（液難透過性も含む）の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。
【００２６】
吸収体４としては、パルプ繊維、連続繊維（トウ）等からなる繊維集合体、又は繊維集合体と吸水性ポリマーとからなるもの（吸水性ポリマーと繊維材料との混合積繊物）等を用いることができる。
各弾性部材としては、糸状のもの（糸ゴム等）、所定幅の帯状のもの（平ゴム等）等が好ましく用いられる。各弾性部材の素材としては、天然ゴム、スチレン−ブタジエン、ブタジエン、イソプレン、ネオプレン等の合成ゴム、ＥＶＡ、伸縮性ポリオレフィン、ウレタン等が挙げられる。
【００２７】
本実施形態の使い捨ておむつ１においては、展開状態において、前記構成部材の幅Ｗ１〜Ｗ４の大小関係が前述のように規定されていると共に、吸収性本体５の両側部において、裏面シート３が幅方向内方に折り返されて、折り返された裏面シート３（折り返し領域３１）の両側縁が表面シート２に接合されており、少なくとも裏面シート３の折り返し線近傍にサイド弾性部材６１Ａ（６１）が配設されている。
【００２８】
そのため、装着時には、吸収性本体５のサイドギャザーが吸収体４の側端を起点として立ち上がり、吸収性本体５の股間部は見かけ上狭くなるため、脚の挿入性は良くなり、サイドギャザーの起立高さは、吸収性本体５の括れた部分のシート幅分だけが起立高さになるため、サイドギャザーの起立高さが高くなり過ぎることがなく、股間部のフィット性も高い。
【００２９】
以上、本発明の使い捨ておむつの好ましい一実施形態について説明したが、本発明は、上述した実施形態に制限されず、本発明の趣旨を逸脱しない範囲で種々変更が可能である。
例えば、吸収性本体５におけるサイド弾性部材６１は、少なくとも裏面シート３の折り返し線近傍に配設されていればよく、その他の領域に配設されていなくてもよい。
【００３０】
吸収性本体５の両側部においては、表面シート２が幅方向内方に折り返されて、折り返された表面シート２の両側縁が裏面シート３に接合され、少なくとも表面シート２の折り返し線近傍にサイド弾性部材６１が配設された形態とすることもできる。表面シート２及び裏面シート３の両方が幅方向内方に折り返されていてもよい。
また、外装体１０を構成する外装体形成用シート１１，１２は、１枚のシートで構成してもよく、２枚以上のシートを繋ぎ合わせて構成してもよい。また、外装体１０を伸縮性のシートで構成することもできる。
【００３１】
図６に示すように、股間部Ｃにおける吸収性本体５に、幅方向弾性部材６２が、吸収性本体５の両側部に亘って幅方向に沿って配設されていてもよい。吸収性本体５に幅方向弾性部材６２を設けることにより、サイドギャザーの見かけ上の高さが低く抑えられ、吸収体４と体とがより密着しやすくなり、股間部のフィット性が更に向上する。
【００３２】
裏面シート３は、前述の材料からなる１枚もののシートを使用できる他、幅方向中央部分を樹脂フィルム、側部を撥水性のバリア不織布とし、それらを幅方向に接合して形成したものを使用することもできる。具体的には、図７に示す吸収性本体５においては、裏面シート３を、樹脂フィルム３２とバリア不織布３３とを幅方向に接合したシートから形成し、バリア不織布３３が幅方向内方に折り返されて、折り返し領域３１を形成している。尚、図７に示す吸収性本体５は、特に説明しない構成については、図２に示す吸収性本体５と同様の構成を有している。
【図面の簡単な説明】
【００３３】
【図１】図１は、本発明の使い捨ておむつの一実施形態を示す斜視図である。
【図２】図２は、図１に示す使い捨ておむつをサイドシール部で切り離して展開し、各部の弾性部材を伸張させて平面状に拡げた状態で示す平面図である。
【図３】図３（ａ）及び図３（ｂ）は、それぞれ図２に示す一実施形態のＡ−Ａ断面図及びＢ−Ｂ断面図である。
【図４】図４は、図１に示す使い捨ておむつを仮想的に吸収性本体と外装体とに分離した状態を示す分解斜視図である。
【図５】図５は、図１に示す使い捨ておむつにおける吸収性本体を示す平面図である。
【図６】図６は、吸収性本体の他の実施形態を示す平面図である。
【図７】図７は、吸収性本体の更に他の実施形態における幅方向に沿う断面図で、（ａ）は図３（ａ）相当図、（ｂ）は図３（ｂ）相当図である。
【符号の説明】
【００３４】
１  使い捨ておむつ
２  表面シート
３  裏面シート
３１  折り返し領域
３２  樹脂フィルム
３３  バリア不織布
４  吸収体
５  吸収性本体
６１  サイド弾性部材
６２  幅方向弾性部材
７  ウエスト開口部
８  レッグ開口部
１０  外装体
１３  本体接合部
Ａ  腹側部
Ｂ  背側部
Ｃ  股間部
【図１】
0004480668.tif 000002
【図２】
0004480668.tif 000003
【図３】
0004480668.tif 000004
【図４】
0004480668.tif 000005
【図５】
0004480668.tif 000006
【図６】
0004480668.tif 000007
【図７】
0004480668.tif 000008